(57)【要約】  記録装置は、フレームと、フレームに配置され、記録媒体に液体を噴射して記録を行う記録ヘッドと、フレームと配置され、記録ヘッドから噴射する液体を収容する液体収容体をフレーム外に支持するステーと、ステーに支持された液体収容体に収容されている液体を記録ヘッドに供給するインク供給チューブと、フレームに対し着脱可能なフレームカバーと、を備える。
2016031215.tif 000002
【特許請求の範囲】
【請求項１】
フレームと、
前記フレームに配置され、記録媒体に液体を噴射して記録を行う記録部と、
前記フレームに配置され、前記記録部から噴射する液体を収容する液体収容体を前記フレーム外に支持する支持ユニットと、
前記支持ユニットに支持された前記液体収容体に収容されている液体を前記記録部に供給する液体供給チューブと、
前記フレームに対し着脱可能なフレームカバーと、
を備える記録装置。
【請求項２】
請求項１に記載の記録装置において、
前記フレームカバーは、前記支持ユニットに支持された前記液体収容体を覆う
ことを特徴とする記録装置。
【請求項３】
請求項１に記載の記録装置において、
前記支持ユニットは、前記支持ユニットに支持された前記液体収容体の下部を覆う支持ユニットカバーを有し、
前記フレームカバーは、前記支持ユニットに支持された前記液体収容体の上部を覆う
ことを特徴とする記録装置。
【請求項４】
請求項２に記載の記録装置において、
前記フレームカバーは、前記液体収容体を取り出す開口を開閉する蓋体を備える
ことを特徴とする記録装置。
【請求項５】
請求項３に記載の記録装置において、
前記フレームカバーは、前記液体収容体を取り出す開口を開閉する蓋体を備える
ことを特徴とする記録装置。
【請求項６】
請求項１に記載の記録装置において、
前記支持ユニットは、前記支持ユニットに支持された前記液体収容体を収容する収容ケースを有し、
前記フレームカバーは、前記収容ケースと別体である
ことを特徴とする記録装置。
【請求項７】
請求項１に記載の記録装置において、
前記記録部は、記録媒体に液体を噴射する記録ヘッドと、前記記録ヘッドを搭載し、往復移動するキャリッジと、を有し、
前記フレームは、前記キャリッジをガイドするガイドフレームと、前記ガイドフレームにおける前記キャリッジが往復移動する方向における端部を保持する保持フレームと、を有し、
前記支持ユニットは、前記保持フレームに固定されている
ことを特徴とする記録装置。
【請求項８】
請求項１に記載の記録装置において、
前記支持ユニットは、前記支持ユニットに支持された液体収容体と前記フレームとを仕切る仕切り壁を有し、
前記仕切り壁は、前記フレームを露出させる連通孔を有する
ことを特徴とする記録装置。
【発明の詳細な説明】
【技術分野】
【０００１】
本発明は、液体を記録部から噴射して記録を行う記録装置に関する。
【背景技術】
【０００２】
特許文献１に記載の記録装置には、インク（液体）を噴射する記録部を有する本体装置のカバーに、インクバッグ（液体収容体）を収容する収容ケースを装着した構成が開示されている。この記録装置では、インクバッグに収容されているインクをインク供給チューブを介して本体装置内の記録部に供給し、この供給されたインクを記録部から用紙などの媒体に噴射することによって印刷（記録）を行う。
【先行技術文献】
【特許文献】
【０００３】
【特許文献１】米国特許第７００８０５１号明細書
【発明の概要】
【発明が解決しようとする課題】
【０００４】
ところで、上記記録装置では、本体装置内のメンテナンスを行う際に、カバーを取り外す必要がある。
インク供給チューブは本体装置の外部に設けられた液体収容体から本体装置の内部に繋がっているため、特許文献１のように収容ケースとカバーとが一体的な構成の場合には、カバーを本体装置から取り外すとインク供給チューブがついてきてしまい、インク供給チューブに負荷をかけてしまう。このため、インク供給チューブが外れてインクが漏出してしまうおそれがある。【０００５】
また、収容ケースを本体装置から離間させた後にカバーを本体装置から取り外すことが考えられるが、こうした場合には、収容ケースはインクバッグ式の大容量のインクを収容して重いため、収容ケースを本体装置から離間させる作業は作業性が悪く、メンテナンスの負荷が増大してしまう。【０００６】
なお、こうした課題は、記録ヘッドからインクを噴射する記録装置に限らず、記録ヘッドから噴射する液体を収容した液体収容体から記録ヘッドへ液体供給チューブを介して液体を供給する記録装置においては概ね共通するものである。【０００７】
本発明は、上記課題に鑑みてなされたものであり、その目的は、メンテナンスを容易に行うことのできる記録装置を提供することにある。
【課題を解決するための手段】
【０００８】
上記目的を達成するための記録装置は、フレームと、フレームに配置され、記録媒体に液体を噴射して記録を行う記録部と、フレームに配置され、記録部から噴射する液体を収容する液体収容体をフレーム外に支持する支持ユニットと、支持ユニットに支持された液体収容体に収容されている液体を記録部に供給する液体供給チューブと、フレームに対し着脱可能なフレームカバーと、を備える。【０００９】
上記構成によれば、フレームカバーではなく、フレームに支持ユニットが固定されているため、フレームからフレームカバーを取り外すときに、支持ユニットに支持される液体収容体や支持ユニット、さらには液体収容体とフレーム内部とに繋がっている液体供給チューブなどをフレームに固定した状態のまま、フレームカバーを取り外すことができる。このため、フレームからフレームカバーを取り外すときに、その重量が過大になってしまうことや液体供給チューブに負荷がかかることが抑制され、フレームカバーを容易に取り外すことができる。したがって、記録装置のメンテナンスを容易に行うことができるようになる。【００１０】
また、上記記録装置では、フレームカバーは、支持ユニットに支持された液体収容体を覆うことが望ましい。
上記構成によれば、フレームカバーによって液体収容体を保護することができる。【００１１】
また、上記記録装置の一態様では、支持ユニットは、支持ユニットに支持された液体収容体の下部を覆う支持ユニットカバーを有し、フレームカバーは、支持ユニットに支持された液体収容体の上部を覆う。【００１２】
上記構成によれば、支持機構に支持された液体収容体を支持ユニットカバーとフレームカバーとによって覆い、保護することができるようになる。
また、上記記録装置では、フレームカバーは、液体収容体を取り出す開口を開閉する蓋体を備えることが望ましい。【００１３】
上記構成によれば、フレームカバーが蓋体を備えているため、フレームからフレームカバーを取り外すときに蓋体も一緒に取り外すことができる。このため、フレーム内部のメンテナンスを行う際に、支持ユニットを露出させて、支持ユニットや液体供給チューブなどのメンテナンスも併せて行うことができるようになる。したがって、記録装置のメンテナンスを一層容易に行うことができるようになる。【００１４】
また、上記記録装置の一態様では、支持ユニットは、支持ユニットに支持された液体収容体を収容する収容ケースを有し、フレームカバーは、収容ケースと別体である。
上記構成によれば、支持機構に支持された液体収容体を収容ケースに収容して保護することができる。また、収容ケースとフレームカバーとが別体に設けられているため、フレームからフレームカバーを取り外すときに、収容ケースをフレームに固定した状態のまま、フレームカバーを取り外すことができる。したがって、記録装置のメンテナンスを容易に行うことができるようになる。【００１５】
また、記録部が、記録媒体に液体を噴射する記録ヘッドと、記録ヘッドを搭載し、往復移動するキャリッジと、を有し、フレームが、キャリッジをガイドするガイドフレームと、ガイドフレームにおけるキャリッジが往復移動する方向における端部を保持する保持フレームと、を有する上記記録装置では、支持ユニットを保持フレームに固定するようにしてもよい。【００１６】
また、上記記録装置では、支持ユニットは、支持ユニットに支持された液体収容体とフレームとを仕切る仕切り壁を有し、仕切り壁は、フレームを露出させる連通孔を有することが望ましい。【００１７】
上記構成によれば、記録装置をメンテナンスする際に、支持ユニットの仕切り壁の連通孔からフレームを確認したり、同フレームに取り付けられている部品にアクセスしたりすることができる。このため、記録装置のメンテナンスをより一層容易に行うことができるようになる。
【図面の簡単な説明】
【００１８】
【図１】第１の実施形態としての記録装置を示す斜視図。
【図２】記録装置で使用される液体収容体を模式的に示す斜視図。
【図３】蓋体が開いた状態の記録装置を示す斜視図。
【図４】本体装置のフレームを示す斜視図。
【図５】フレームに底部が取り付けられた状態を示す斜視図。
【図６】フレームにカバーが取り付けられた状態を示す斜視図。
【図７】本体装置のフレームカバーを示す斜視図。
【図８】フレームカバーをフレームに取り付けた状態を示す斜視図。
【図９】フレームからフレームカバーを取り外した状態を示す斜視図。
【図１０】第２の実施形態としての記録装置を示す斜視図。
【図１１】操作パネルが取り外された記録装置を示す斜視図。
【図１２】スキャナー部が取り外された記録装置を示す斜視図。
【図１３】第３の実施形態としての記録装置においてフレームからフレームカバーを取り外した状態を示す斜視図。
【図１４】他の実施形態としての記録装置においてフレームからフレームカバーを取り外した状態を示す斜視図。
【図１５】フレームカバーに設けられた蓋体の他の構成を示す斜視図。
【図１６】フレームカバーに設けられた蓋体の他の構成を示す斜視図。
【発明を実施するための形態】
【００１９】
（第１の実施形態）
以下、記録装置の第１の実施形態について図１〜図９を参照して説明する。なお、本実施形態は、記録装置をインクジェット式プリンター（以下、単に「プリンター」という。）に具体化した例を示している。
【００２０】
図１に示すように、プリンターは、液体の一例であるインクを噴射することによって記録媒体の一例である用紙に記録を行う本体装置１０と、本体装置１０にインクを供給する２つの収容ユニット３９，４０とを備えている。
【００２１】
本体装置１０は、インクを噴射して用紙に記録を行う記録ヘッド１１や記録ヘッド１１を支持するキャリッジ１２が設けられたフレーム１３を有している。なお、記録ヘッド１１及びキャリッジ１２によって記録部が構成されている。フレーム１３には、着脱可能に本体カバー１４が取り付けられている。
【００２２】
キャリッジ１２は、本体装置１０の内部においてプリンターの幅方向でもある走査方向Ｘに往復移動可能であり、キャリッジ１２の移動に伴って記録ヘッド１１がプリンターの幅方向に往復移動しつつインクを噴射することによって用紙に記録（印刷）を行う。
【００２３】
また、本体装置１０には、本体カバー１４の上面にユーザーがプリンターを操作するための操作パネル１５が設けられている。操作パネル１５には、フレキシブルフラットケーブル１６の一端が接続されている。フレキシブルフラットケーブル１６の他端は、フレーム１３に設けられた制御基板１７に接続されている。制御基板１７は、フレキシブルフラットケーブル１６を介して伝達される操作パネル１５からの信号等に基づいて各種制御を実行する。以下では、この操作パネル１５におけるモニターやボタン等の表記が向けられている方向をプリンターの前方とし、この前方の反対方向をプリンターの後方とする。
【００２４】
本体装置１０には、プリンターの前方側に位置する正面に本体装置１０の内部で記録された用紙を本体装置１０の外部に排出する矩形状の排出口１８が設けられている。排出口１８から排紙された用紙は排紙トレイ１９の上に載置される。また、本体装置１０の正面における排紙トレイ１９の下方には、上下二段の給紙カセット２０が着脱自在に装着されている。これら給紙カセット２０には、複数枚の用紙を積層した状態で収容することができる。
【００２５】
次に、図２を参照して、収容ユニット３９，４０に収容されている液体収容体３０について説明する。
図２に示すように、液体収容体３０は、可撓性材料からなるインクバッグ３１を有し、当該インクバッグ３１にはインクが収容されている。インクバッグ３１の上端部には、矩形環状の取手部３２が固定されている。インクバッグ３１と取手部３２との接続部には、ＩＣチップ３３が設けられている。ＩＣチップ３３には、インクバッグ３１に収容されているインクの残量や種類等の情報が記憶されている。
【００２６】
図３に示すように、本体装置１０の右側面に設けられた第１の収容ユニット３９には、ステー４１が３つ設けられている。各ステー４１には、液体収容体３０の取手部３２が嵌め込まれることによって液体収容体３０が着脱可能に取り付けられ、これにより液体収容体３０が本体装置１０の外側に支持されている。なお、液体収容体３０には、例えば、プリンターの奥行き方向の手前側から順に、イエローインク、マゼンダインク、シアンインクが収容されている。
【００２７】
また、本体装置１０の左側面に設けられた第２の収容ユニット４０にはステー４１が１つ設けられている。第１の収容ユニット３９と同様に、第２の収容ユニット４０のステー４１には、液体収容体３０の取手部３２が嵌め込まれることによって液体収容体３０が着脱可能に取り付けられ、これにより液体収容体３０が本体装置１０の外側に支持されている。なお、第２の収容ユニット４０に収容されている液体収容体３０は、例えばブラックインクを収容しており、第１の収容ユニット３９に設けられた各液体収容体３０よりも容量が大きくなっている。
【００２８】
次に、図４〜図６を参照して、本体装置１０のフレーム１３の構成について詳細に説明する。
図４に示すように、フレーム１３には、給紙カセット２０が収容される樹脂フレーム４２が設けられている。樹脂フレーム４２の上方には、金属フレーム４３が固定されている。金属フレーム４３の右側壁４４と左側壁４５とには、フレーム１３を横断するガイドフレーム４６の端部が固定されている。ガイドフレーム４６には、記録ヘッド１１を支持するキャリッジ１２が摺動可能に支持されている。なお、キャリッジ１２は、ガイドフレーム４６にガイドされ、走査方向Ｘに往復移動する。すなわち、金属フレーム４３は、ガイドフレーム４６におけるキャリッジ１２の往復移動方向における端部を保持する保持フレームとして機能する。
【００２９】
金属フレーム４３の両側壁４４，４５には、上述したステー４１が固定されている。すなわち、フレーム１３の金属フレーム４３及び樹脂フレーム４２からなる両側壁、並びにステー４１が、液体収容体３０をフレーム１３外に支持する支持ユニットとして機能する。また、金属フレーム４３の両側壁４４，４５には、フレーム１３の内部と外部とを連通する連通孔６２が設けられている。各ステー４１には、その下方にインク供給チューブ４７がそれぞれ接続されている。各インク供給チューブ４７の一端は、ステー４１の内部にそれぞれ設けられた液体供給針に接続されている。液体供給針は、その先端が露出しており、各ステー４１に液体収容体３０が取り付けられたときに液体収容体３０の内部に挿通される。これにより、液体供給針に接続されたインク供給チューブ４７と液体収容体３０とが連通する。
【００３０】
インク供給チューブ４７は、金属フレーム４３に設けられたチューブ挿通孔４８を通じてフレーム１３の内部に引き回されている。そして、フレーム１３の内部に引き回されたインク供給チューブ４７は、フレーム１３に設けられた中継器４９を介して記録ヘッド１１に接続されている。これにより、ステー４１に液体収容体３０が取りつけられると、同液体収容体３０に収容されているインクが本体装置１０内の記録ヘッド１１に供給されるようになる。なお、中継器４９には、液体収容体３０から記録ヘッド１１に供給されるインクを一旦貯留するバッファ室が設けられている。中継器４９では、このバッファ室においてインクと共に流れてきた空気を取り除いて記録ヘッド１１にインクを供給する。
【００３１】
また、フレーム１３の樹脂フレーム４２には、外側に突出して前後方向に延びる受け部５０が設けられている。
図５に示すように、フレーム１３の両側壁には、受け部５０に載置した状態で有底箱状の底部５１が固定されている。この底部５１は、ステー４１に液体収容体３０が取り付けられたときに、液体収容体の下部を覆う。すなわち、底部５１は、支持ユニットカバーとして機能する。なお、底部５１の容積は、１つの満タン状態の液体収容体３０に収容されているインクの量よりも大きくなるように設定されている。すなわち、底部５１の容積は、収容ユニット３９に満タンの液体収容体３０が３つ収容された状態でいずれか１つの液体収容体３０に収容されたインクが全て漏れだした場合でも、この漏れだした全てのインクを底部５１内に溜めることができるように設定されている。
【００３２】
また、図６に示すように、フレーム１３の両側壁の外面には、インク供給チューブ４７を隠すカバー５２が取り付けられている。これにより、フレーム１３の両側壁に設けられた連通孔６２が塞がれている。
【００３３】
次に、本体装置１０の本体カバー１４の構成について説明する。
図７に示すように、本体カバー１４には、４本の支柱５３と、各支柱５３を繋ぐ天板５４とが設けられている。支柱５３の下端には、同支柱５３の延伸方向（図７における上下方向）と直交する方向に延びるフランジ部５５が設けられている。フランジ部５５にはねじ孔５６が形成されている。本体カバー１４の天板５４の左端部及び右端部には、ヒンジ５７を介して回動可能に連結された蓋体５８が設けられている。また、天板には操作パネル１５と制御基板１７とに接続されるフレキシブルフラットケーブル１６が挿通される貫通孔５９が設けられている。
【００３４】
図８に示すように、本体カバー１４は、フレーム１３に上方から着脱可能に取り付けられる。この状態では、本体カバー１４の支柱５３が底部５１に挿通されており、支柱５３のフランジ部５５のねじ孔５６に挿通されたねじを介して本体カバー１４と底部５１とが締結されている。これにより、フレーム１３に本体カバー１４が固定されている。なお、本体カバー１４の上部には、操作パネル１５が取り付けられるが、図８ではこの操作パネル１５が取り外された状態を示している。本実施形態では、本体カバー１４と蓋体５８とによってフレーム１３に取り付けられるフレームカバーが構成されている。
【００３５】
フレーム１３にフレームカバーが取り付けられた状態では、底部５１の上端にフレームカバーに設けられた蓋体５８が離接可能に接続される。このため、フレーム１３の両側壁、底部５１、及び蓋体５８によってステー４１に支持された液体収容体３０が収容される収容ユニット３９，４０が構成されている。なお、図３に示すように、蓋体５８を底部５１から離間するようにヒンジ５７を中心に回動させることで、収容ユニット３９，４０を開けることができる。
【００３６】
プリンターにおいてフレーム１３からフレームカバーを取り外すときには、図８に示すように、本体カバー１４から操作パネル１５を外し、本体カバー１４と底部５１とを締結しているねじを外す。
【００３７】
そして、図９に示すように、本体カバー１４を持ち上げてフレーム１３から取り外す。
次に、上記実施形態の作用について説明する。
液体収容体３０を支持するステー４１を、本体装置１０において、フレームカバーではなくフレーム１３に固定している。このため、フレーム１３からフレームカバーを取り外すときに、ステー４１に支持されている液体収容体３０、ステー４１、インク供給チューブ４７、及びフレーム１３の外面に取り付けられているカバー５２などをフレーム１３に固定した状態のまま、フレームカバーを取り外すことができる。このため、フレーム１３からフレームカバーを取り外すときに、その重量が過大になってしまうことやインク供給チューブ４７に負荷がかかることが抑制され、フレームカバーを容易に取り外すことができる。
【００３８】
また、フレーム１３の両側壁に液体収容体３０の下部を覆う有底箱状の底部５１を設け、フレームカバーに液体収容体３０の上部を覆う蓋体５８を設けている。このため、ステー４１に支持された液体収容体３０を底部５１と蓋体５８とによって覆い、保護することができるようになる。
【００３９】
また、フレームカバーが収容ユニット３９，４０を開閉する蓋体５８を有している。このため、フレーム１３からフレームカバーを取り外すときに蓋体５８も一緒に取り外され、フレーム１３のメンテナンスを行う際に、収容ユニット３９，４０の内部を露出させることができる。このため、収容ユニット３９，４０の内部に設けられたステー４１やインク供給チューブ４７などのメンテナンスも併せて行うことができる。
【００４０】
また、フレーム１３のガイドフレーム４６を保持する金属フレーム４３にステー４１を固定している。このため、樹脂フレーム４２よりも剛性の高い部分にステー４１が固定され、多量の液体を収容して重量の重い液体収容体３０であってもステー４１によって支持されるようになる。
【００４１】
なお、フレームカバーをフレーム１３に取り付けた状態であっても、蓋体５８を開けて収容ユニット３９，４０の内部に設けられたカバー５２を取り外すことにより、フレーム１３の両側壁を露出させることができる。こうした状態では、フレーム１３の両側壁に設けられた連通孔６２を通じてフレーム１３を確認したり、同フレーム１３に設けられた部品にアクセスしたりすることができる。
【００４２】
上記実施形態によれば、以下のような効果を得ることができる。
（１）液体収容体３０を支持するステー４１を、フレーム１３に固定するようにしている。このため、フレーム１３からフレームカバーを取り外すときに、ステー４１に支持されている液体収容体３０、ステー４１、インク供給チューブ４７、及びフレーム１３の外面に取り付けられているカバー５２などをフレーム１３に固定した状態のまま、フレームカバーを取り外すことができる。このため、フレーム１３からフレームカバーを取り外すときに、その重量が過大になってしまうことや液体供給チューブに負荷がかかることが抑制され、フレームカバーを容易に取り外すことができる。したがって、フレーム１３のメンテナンスを容易に行うことができるようになる。
【００４３】
（２）フレーム１３の両側壁に液体収容体３０の下部を覆う有底箱状の底部５１を設け、フレームカバーに液体収容体３０の上部を覆う蓋体５８を設けている。このため、ステー４１に支持された液体収容体３０を底部５１と蓋体５８とによって覆い、保護することができるようになる。
【００４４】
（３）フレームカバーが収容ユニット３９，４０を開閉する蓋体５８を有している。このため、フレーム１３からフレームカバーを取り外すときに蓋体５８も一緒に取り外され、フレーム１３のメンテナンスを行う際に、収容ユニット３９，４０の内部を露出させることができる。このため、収容ユニット３９，４０の内部に設けられたステー４１やインク供給チューブ４７などのメンテナンスも併せて行うことができる。したがって、記録装置のメンテナンスを一層容易に行うことができるようになる。
【００４５】
（４）フレーム１３のガイドフレーム４６を保持する金属フレーム４３にステー４１を固定している。このため、樹脂フレーム４２よりも剛性の高い部分にステー４１が固定され、多量の液体を収容して重量の重い液体収容体３０であってもステー４１によって支持することができる。
【００４６】
（第２の実施形態）
次に、記録装置の第２の実施形態について、図１０〜図１２を参照して説明する。なお、本実施形態の記録装置では、図１０に示すように、本体カバー１４の上部にスキャナー部６０が取り付けられている点が第１の実施形態と異なっている。第１の実施形態と同様の構成については共通の符号を付してその詳細な説明は省略する。
【００４７】
スキャナー部６０は、所定の読みとり位置にセットされた原稿に記録されている画像を読みとる機能を有している。スキャナー部６０には、ユーザーがプリンターを操作するための操作パネル６１が設けられている。この操作パネル６１には、フレキシブルフラットケーブル１６の一端が接続されている。フレキシブルフラットケーブル１６は、スキャナー部６０の内部を通り、第１の実施形態と同様に、本体カバー１４の天板５４に設けられた貫通孔５９を通じてその他端がフレーム１３に設けられた制御基板１７に接続されている。なお、本実施形態も上記第１の実施形態と同様に、本体カバー１４と蓋体５８とによってフレームカバーが構成されている。
【００４８】
こうしたプリンターでは、次のようにしてフレームカバーをフレーム１３から取り外す。
図１１に示すように、まずスキャナー部６０の操作パネル６１を取り外し、同操作パネル６１からフレキシブルフラットケーブル１６を外す。
【００４９】
次に、図１２に示すように、スキャナー部６０を本体カバー１４から取り外す。なお、この状態は、第１の実施形態において、本体カバー１４から操作パネル１５を取り外した状態と同じである。このため、この状態では、図９に示すように、本体カバー１４を持ち上げることでフレームカバーをフレーム１３から取り外すことができる。
【００５０】
この第２の実施形態では、液体収容体３０を支持するステー４１が、本体装置１０において、フレームカバーではなくフレーム１３に固定されている。このため、フレーム１３からフレームカバーを取り外すときに、ステー４１、ステー４１に支持されている液体収容体３０、インク供給チューブ４７、及びカバー５２などをフレーム１３に固定した状態のまま、フレームカバーを取り外すことができる。したがって、上記（１）〜（４）の効果を得ることができる。
【００５１】
（第３の実施形態）
次に、記録装置の第３の実施形態について、図１３を参照して説明する。なお、上記各実施形態と同様の構成については共通の符号を付してその詳細な説明は省略する。
【００５２】
図１３に示すように、フレーム１３には、収容ケース７０ａ，７０ｂが固定されている。各収容ケース７０ａ，７０ｂは、同収容ケース７０ａ，７０ｂの底を形成する有底箱状の底部７１と、底部７１におけるフレーム１３と対向する側壁の上端に連結される側壁形成部７２と、底部７１の上端にヒンジを介して回動可能に連結される蓋体７３とによって構成されている。蓋体７３は側壁形成部７２の上端と当接、離間可能になっている。なお、収容ケース７０ａ，７０ｂの側壁形成部７２が、フレーム１３の金属フレーム４３の両側壁４４，４５に固定されている。すなわち、収容ケース７０ａ，７０ｂは本体カバー７４に固定されておらず、同本体カバー７４と別体に設けられている。収容ケース７０ａ，７０ｂの内面において、側壁形成部７２には、ステー４１が固定されている。このため、ステー４１は側壁形成部７２を介してフレーム１３の両側壁に固定されて、収容ケース７０ａ，７０ｂに収容されている。すなわち、ステー４１、側壁形成部７２、及びフレーム１３の両側壁によって液体収容体３０を支持する支持ユニットが構成されている。
【００５３】
また、収容ケース７０ａ，７０ｂの側壁形成部７２には、金属フレーム４３に設けられた連通孔６２に対応する位置に孔が設けられており、この孔は収容ケース７０ａ，７０ｂの内部に設けられたカバー５２によって塞がれている。
【００５４】
本体カバー７４は、下端が開放された箱形状を有し、左右方向における両側壁７５ａ，７５ｂには金属フレーム４３の両側壁４４，４５の形状に合わせて下端から切り欠かれた切り欠き部７６が設けられている。そして、本体カバー７４を上方からフレーム１３に取り付けることによって本体装置１０が構成される。すなわち、本体カバー７４がフレームカバーとして機能する。
【００５５】
次に、本実施形態の作用について説明する。
液体収容体３０を支持するステー４１を、収容ケース７０ａ，７０ｂに収容し、同収容ケース７０ａ，７０ｂを側壁形成部７２を介してフレーム１３に固定している。このため、図１３に示すように、本体カバー７４を持ち上げてフレーム１３から取り外すときに、ステー４１を収容する収容ケース７０ａ，７０ｂをフレーム１３に固定した状態のまま、本体カバー７４を取り外すことができる。このため、フレーム１３から本体カバー７４を取り外すときに、その重量が過大になってしまうことやインク供給チューブ４７に負荷がかかることが抑制され、本体カバー７４を容易に取り外すことができる。
【００５６】
また、ステー４１が収容ケース７０ａ，７０ｂに収容されているため、ステー４１に支持された液体収容体３０が収容ケース７０ａ，７０ｂによって保護される。
フレーム１３のガイドフレーム４６を保持する金属フレーム４３に収容ケース７０ａ，７０ｂのステー４１が固定される側壁形成部７２を固定している。このため、樹脂フレーム４２よりも剛性の高い部分にステー４１が固定される。
【００５７】
また、本体カバー７４をフレーム１３に取り付けた状態であっても、収容ケース７０ａ，７０ｂを開けてカバー５２を取り外すことで、側壁形成部７２の孔からフレーム１３の両側壁を露出させることができる。こうした状態では、フレーム１３の両側壁に設けられた連通孔６２を通じてフレーム１３を確認したり、同フレーム１３に設けられた部品にアクセスしたりすることができる。
【００５８】
上記実施形態によれば、以下のような効果を得ることができる。
（１）液体収容体３０を支持するステー４１を、フレーム１３に固定するようにしているため、フレーム１３からフレームカバーを取り外すときに、収容ケース７０ａ，７０ｂをフレーム１３に固定した状態のまま、フレームカバーを取り外すことができる。このため、フレーム１３からフレームカバーを取り外すときに、その重量が過大になってしまうことが抑制され、フレームカバーを容易に取り外すことができる。したがって、フレーム１３のメンテナンスを容易に行うことができるようになる。
【００５９】
（２）ステー４１が収容ケース７０ａ，７０ｂに収容されているため、ステー４１に支持された液体収容体３０を収容ケース７０ａ，７０ｂによって保護することができる。
（３）フレーム１３のガイドフレーム４６を保持する金属フレーム４３にステー４１を固定している。このため、樹脂フレーム４２よりも剛性の高い部分にステー４１が固定され、多量の液体を収容して重量の重い液体収容体３０であってもステー４１によって支持することができる。
【００６０】
なお、上記各実施形態は以下のように変更してもよい。
・フレームカバーに蓋体５８及び底部５１を設けるようにしてもよい。
図１４に示すように、本体カバー１４は、下端が開放された箱形状を有し、左右方向における両側壁にはフレーム１３の両側壁の形状に合わせて下端から切り欠かれた切り欠き部が設けられている。そして、両側壁の上端には、蓋体５８が回動可能に連結されている。蓋体５８の下端には、その下端が開放された底部５１が連結されている。
【００６１】
こうした構成によれば、図１４に示すように、本体カバー１４をフレーム１３から持ち上げることで、フレームカバーに設けられた蓋体５８と底部５１とを一体に取り外すことができ、収容ユニットの内部を露出させることができるようになる。
【００６２】
・第１の実施形態及び第２の実施形態では、ガイドフレーム４６に沿ってキャリッジ１２に支持されている記録ヘッド１１が移動するものを例に説明したが、記録ヘッド１１は必ずしも移動する必要はない。すなわち、紙送り方向と直交する方向における用紙の長さよりも長い記録ヘッドを備え、この記録ヘッドを支持したキャリッジをガイドフレームに固定するようにすれば、記録ヘッドを移動させることなく用紙にインクを噴射して記録を行うことができる。
【００６３】
・ステー４１の取り付け位置は適宜変更可能である。例えば、金属フレーム４３における制御基板１７を支持する部分にステー４１を固定するようにしてもよいし、フレーム１３のうち樹脂フレーム４２によって形成されているに部分にステー４１を固定するようにしてもよい。また、次のように変更してもよい。
【００６４】
すなわち、フレーム１３に、記録ヘッド１１を移動させるキャリッジ１２と、キャリッジ１２を支持するガイドフレーム４６と、ガイドフレーム４６が固定された金属フレーム４３と、金属フレーム４３と離間して設けられてフレーム１３を構成する板金部材とを備える。そして、この板金部材にステー４１を固定する。
【００６５】
ガイドフレーム４６が固定された金属フレーム４３にステー４１を固定すると、ステー４１に支持されている液体収容体３０の重みによって金属フレーム４３に歪みが生じるおそれがある。金属フレーム４３に歪みが生じると、金属フレーム４３に固定されたガイドフレーム４６が歪み、ガイドフレーム４６に沿って動くキャリッジ１２の動きを精度良く制御することができなくなるおそれがある。
【００６６】
上記構成によれば、液体収容体３０を支持するステー４１が、ガイドフレーム４６が固定された金属フレーム４３と離間して設けられた板金部材に固定されるため、ステー４１に支持されている液体収容体３０の重みによって板金部材が歪んでもガイドフレーム４６が固定された金属フレーム４３には歪みが生じにくくなる。その結果、金属フレーム４３に歪みが生じることを抑制してガイドフレーム４６の歪みを抑えることができる。また、フレーム１３における樹脂フレーム４２よりも剛性の高い板金部材にステー４１が固定されるため、多量の液体を収容して重量の重い液体収容体３０であってもステー４１によって支持することができる。
【００６７】
・フレーム１３を樹脂フレームのみから構成してもよい。こうした場合には、別途板金部材を設けて、この板金部材を介してステー４１や側壁形成部７２をフレーム１３の両側壁に固定するようにしてもよい。
【００６８】
・第１の実施形態及び第２の実施形態において、蓋体５８の開き方を変更してもよい。すなわち、図１５に示すように、本体カバー１４の支柱５３にヒンジ５７を介して蓋体５８を連結する。こうした構成によれば、蓋体５８を、ヒンジ５７が連結されている一端を軸にして回動させて、ヒンジ５７が連結されていない他端側を開放させることができる。
【００６９】
また、図１６に示すように、蓋体５８を上蓋部７７と下蓋部７８とに上下に分割し、これら上蓋部７７と下蓋部７８とをヒンジ５７によって連結する。そして、下蓋部７８を支柱５３に固定する。こうした構成によれば、蓋体５８の上蓋部７７を、その下端を軸にして回動させて上端側を開放させることができる。
【００７０】
・フレームカバーをフレーム１３に取り付けたときに、蓋体５８と底部５１とが接しなくてもよい。すなわち、フレームカバーをフレーム１３に取り付けたときに、蓋体５８と底部５１との間に隙間が設けられていてもよい。
【００７１】
・第１の実施形態及び第２の実施形態において、フレームカバーに蓋体５８を設けなくてもよい。また、フレーム１３に底部５１を設けなくてもよい。こうした構成であっても、ステー４１を本体装置１０のフレーム１３に固定するようにすれば、フレーム１３にステー４１や液体収容体３０を固定した状態のままフレームカバーを取り外すことができる。なお、こうした構成では、ステー４１やステー４１に支持されている液体収容体３０は本体装置１０の外部にむき出しの状態で設けられることになる。
【００７２】
・第３の実施形態において、収容ケース７０ａ，７０ｂの底部７１や蓋体７３を備えず、側壁形成部７２だけを備えるようにしてもよい。こうした場合であっても、フレーム１３に固定された側壁形成部７２にステー４１を固定することによってステー４１をフレーム１３に固定することができる。なお、こうした構成では、ステー４１やステー４１に支持されている液体収容体３０は本体装置１０の外部にむき出しの状態で設けられることになる。
【００７３】
・第３の実施形態において、収容ケース７０ａ，７０ｂにおける側壁形成部７２が固定される部分は、フレーム１３の樹脂フレーム４２であってもよい。
・第３の実施形態において、側壁形成部７２に孔を設けなくてもよい。
【００７４】
・カバー５２は設けなくてもよい。
・金属フレーム４３に連通孔６２を設けなくてもよい。
・本体カバー１４を分割して、本体カバー１４を例えば左側部材と右側部材とから構成するようにしてもよい。こうした構成によれば、制御基板１７を覆う右側部材のみを取り外すことによって、フレームカバー全部を取り外すことなく、制御基板１７のメンテナンスを行うことができる。なお、分割する方向は左右方向に限らず、前後方向に分割してもよいし、２つ以上に分割するようにしてもよい。
【００７５】
・液体収容体３０として可撓性材料からなるインクバッグ３１にインクを収容したものを例に説明したが、液体収容体３０の構成はこうしたものに限られない。例えば、樹脂によって成形された箱にインクを収容したものであってもよい。
【００７６】
・第１の収容ユニット３９にステー４１を３つ収容し、第２の収容ユニット４０にステー４１を１つ収容するようにしたが、これらの数を適宜変更してもよい。また、第１の収容ユニット３９及び第２の収容ユニット４０のうちいずれか一方のみを備えるようにしてもよい。
【符号の説明】
【００７７】
１０…本体装置、１１…記録ヘッド、１２…キャリッジ、１３…フレーム、１４…本体カバー、１５…操作パネル、１６…フレキシブルフラットケーブル、１７…制御基板、１８…排出口、１９…排紙トレイ、２０…給紙カセット、３０…液体収容体、３１…インクバッグ、３２…取手部、３３…ＩＣチップ、３９…第１の収容ユニット、４０…第２の収容ユニット、４１…ステー、４２…樹脂フレーム、４３…金属フレーム、４４…右側壁、４５…左側壁、４６…ガイドフレーム、４７…インク供給チューブ、４８…チューブ挿通孔、４９…中継器、５０…受け部、５１…底部、５２…カバー、５３…支柱、５４…天板、５５…フランジ部、５６…ねじ孔、５７…ヒンジ、５８…蓋体、５９…貫通孔、６０…スキャナー部、６１…操作パネル、６２…連通孔、７０ａ，７０ｂ…収容ケース、７１…底部、７２…側壁形成部、７３…蓋体、７４…本体カバー、７５ａ，７５ｂ…側壁、７６…切り欠き部、７７…上蓋部、７８…下蓋部。
【図１】
2016031215.tif 000003
【図２】
2016031215.tif 000004
【図３】
2016031215.tif 000005
【図４】
2016031215.tif 000006
【図５】
2016031215.tif 000007
【図６】
2016031215.tif 000008
【図７】
2016031215.tif 000009
【図８】
2016031215.tif 000010
【図９】
2016031215.tif 000011
【図１０】
2016031215.tif 000012
【図１１】
2016031215.tif 000013
【図１２】
2016031215.tif 000014
【図１３】
2016031215.tif 000015
【図１４】
2016031215.tif 000016
【図１５】
2016031215.tif 000017
【図１６】
2016031215.tif 000018
【国際調査報告】
2016031215.tif 000019
2016031215.tif 000020
2016031215.tif 000021
2016031215.tif 000022